(57)【要約】【課題】書き心地が滑らかであり、且つ、筆記体の折損を効果的に抑制することができる筆記具を提供すること。【解決手段】本発明による筆記具１００は、軸筒１０と、軸筒１０に当該軸筒１０の軸線方向ｄａに相対移動可能に支持された筆記体２０と、軸筒１０の前端に軸線方向ｄａに相対移動可能に支持され、筆記体２０の前端領域を取り囲むガイドパイプ３２と、軸筒１０と筆記体２０との間に配置され、筆記体２０を軸筒１０に対して前方に付勢する付勢手段４０と、を備えている。軸筒１０は、筆記体２０の後方への相対移動を規制する被当接部５４ｃを有し、ガイドパイプ３２と軸筒１０との間に作用する摩擦力ｆＡは、ガイドパイプ３２と筆記体２０との間に作用する摩擦力ｆＢよりも大きい。【選択図】図１
2019119097.tif 000002
【特許請求の範囲】
【請求項１】
軸筒と、
前記軸筒に当該軸筒の軸線方向に相対移動可能に支持された筆記体と、
前記軸筒の前端に前記軸線方向に相対移動可能に支持され、前記筆記体の前端領域を取り囲むガイドパイプと、
前記軸筒と前記筆記体との間に配置され、前記筆記体を前記軸筒に対して前方に付勢する付勢手段と、を備え、
前記軸筒は、前記筆記体の後方への相対移動を規制する被当接部を有し、
前記ガイドパイプと前記軸筒との間に作用する最大静止摩擦力が、前記ガイドパイプと前記筆記体との間に作用する最大静止摩擦力よりも大きい、筆記具。
【請求項２】
前記軸筒は、軸筒本体と、当該軸筒本体に取り付けられた口金と、を有し、
前記ガイドパイプは、前記口金の前端に前記軸線方向に相対移動可能に支持されており、
前記ガイドパイプと前記口金との間に作用する最大静止摩擦力が、前記ガイドパイプと前記筆記体との間に作用する最大静止摩擦力よりも大きい、請求項１に記載の筆記具。
【請求項３】
前記筆記体は、筆記芯を有し、
前記ガイドパイプは、前記筆記芯の前端領域を取り囲み、
前記ガイドパイプと前記筆記体との間に作用する最大静止摩擦力は、前記ガイドパイプと前記筆記芯との間に作用する最大静止摩擦力である、請求項１または２に記載の筆記具。
【請求項４】
前記筆記体が前記軸線方向に沿って前記軸筒に対して相対移動可能な長さは、前記ガイドパイプが前記軸線方向に沿って前記軸筒に対して相対移動可能な長さよりも短い、請求項１乃至３のいずれか一項に記載の筆記具。
【請求項５】
前記軸筒と前記筆記体との間に配置され、前記軸筒に対する前記筆記体の相対速度に応じた減衰力を当該筆記体に作用させる減衰手段を更に備えた、請求項１乃至４のいずれか一項に記載の筆記具。
【請求項６】
前記筆記体は、筆記芯と、筆記芯を収納する芯パイプと、当該芯パイプの前方に固定され前記筆記芯を保持するチャックユニットと、を有し、
前記減衰手段は、前記軸筒と前記芯パイプとの間に前記減衰力を作用させる、請求項５に記載の筆記具。
【請求項７】
前記減衰手段は、
前記芯パイプを取り囲む筒状のハウジングと、
前記ハウジングと前記芯パイプとの間隙に前記軸線方向に間隔を空けて配置され当該間隙を前記芯パイプの全周にわたって密封する２つのシール部と、
前記ハウジング内の前記２つのシール部によって密封された空間に充填されたグリスと、を有する、請求項６に記載の筆記具。
【請求項８】
前記ハウジングの内面から前記芯パイプの外面までの距離が、前記２つのシール部で密封された空間において当該軸線方向に沿って変化している、請求項７に記載の筆記具。
【請求項９】
前記付勢手段と前記減衰手段とは、前記軸筒の軸線方向に直列に配置されている、請求項５乃至８のいずれか一項に記載の筆記具。
【発明の詳細な説明】
【技術分野】
【０００１】
本発明は、筆記具に関する。
【背景技術】
【０００２】
従来、軸筒と、軸筒に支持された筆記体と、軸筒または口金の前端（紙面側の端部）に支持され、筆記体の前端領域を取り囲むガイドパイプと、を備え、このガイドパイプが筆記体の摩耗に同調して軸筒または口金の内部に潜り込むタイプの筆記具（例えばシャープペンシル）が知られている。このような筆記具では、筆記時にガイドパイプが紙面に押し当てられると、紙面からの反力によってガイドパイプが軸筒の後方に押圧されるため、当該ガイドパイプが部分的に軸筒内または口金内に収納される。このような筆記具は、軸筒または口金とガイドパイプとの間に極めて小さな摩擦力が作用する様に構成されているため、ガイドパイプが紙面から離されると、軸筒または口金の内部に収納されていたガイドパイプの部分が再び当該軸筒または口金の外部に突出する。
【０００３】
したがって、このような筆記具では、筆記芯の前端とガイドパイプの前端とが共に紙面に当接した状態で、つまり筆記芯の前端領域の全体がガイドパイプで覆われた状態で、筆記が行われる。そして、筆記芯の摩耗に同調して軸筒または口金から露出するガイドパイプの長さが減少する。このため、筆記芯に過大な筆圧が作用しても当該筆記芯が折損しにくいという利点がある。
【０００４】
しかしながら、以上のような筆記具では、ガイドパイプの前端と紙面との間に常に摩擦力が作用するため、滑らかな書き心地を得にくいという問題があった。更に、以上のような筆記具では、筆記芯がガイドパイプから実質的に露出していないため、筆記芯の視認性が悪く、使用者が意図せずガイドパイプの前端から筆記芯を過度に繰り出して筆記を行ってしまう場合があった。この場合、筆記芯が容易に折損してしまい、問題であった。とりわけ筆記芯が特許文献１に記載されているような熱変色性組成物を含有して構成される場合、焼成芯に比較すると筆記芯の強度が比較的小さいため、折損を抑制するという作用を十分に発揮させることが困難である。
【先行技術文献】
【特許文献】
【０００５】
【特許文献１】特開２０１２−１９３３６９号公報
【発明の概要】
【発明が解決しようとする課題】
【０００６】
本発明は、以上の問題に鑑みて創案されたものである。すなわち、本発明の目的は、書き心地が滑らかであり、且つ、筆記体（筆記芯）の折損を効果的に抑制することができる筆記具を提供することである。
【課題を解決するための手段】
【０００７】
本発明は、軸筒と、
前記軸筒に当該軸筒の軸線方向に相対移動可能に支持された筆記体と、
前記軸筒の前端に前記軸線方向に相対移動可能に支持され、前記筆記体の前端領域を取り囲むガイドパイプと、
前記軸筒と前記筆記体との間に配置され、前記筆記体を前記軸筒に対して前方に付勢する付勢手段と、を備え、
前記軸筒は、前記筆記体の後方への相対移動を規制する被当接部を有し、
前記ガイドパイプと前記軸筒との間に作用する最大静止摩擦力が、前記ガイドパイプと前記筆記体との間に作用する最大静止摩擦力よりも大きい、筆記具である。
【０００８】
前記軸筒は、軸筒本体と、当該軸筒本体に取り付けられた口金と、を有し、
前記ガイドパイプは、前記口金の前端に前記軸線方向に相対移動可能に支持されており、
前記ガイドパイプと前記口金との間に作用する最大静止摩擦力が、前記ガイドパイプと前記筆記体との間に作用する最大静止摩擦力よりも大きくて良い。
【０００９】
前記筆記体は、筆記芯を有し、
前記ガイドパイプは、前記筆記芯の前端領域を取り囲み、
前記ガイドパイプと前記筆記体との間に作用する最大静止摩擦力は、前記ガイドパイプと前記筆記芯との間に作用する最大静止摩擦力であって良い。
【００１０】
前記筆記体が前記軸線方向に沿って前記軸筒に対して相対移動可能な長さは、前記ガイドパイプが前記軸線方向に沿って前記軸筒に対して相対移動可能な長さよりも短くて良い。
【００１１】
前記軸筒と前記筆記体との間に配置され、前記軸筒に対する前記筆記体の相対速度に応じた減衰力を当該筆記体に作用させる減衰手段を更に備えていて良い。
【００１２】
前記筆記体は、筆記芯と、筆記芯を収納する芯パイプと、当該芯パイプの前方に固定され前記筆記芯を保持するチャックユニットと、を有し、
前記減衰手段は、前記軸筒と前記芯パイプとの間に前記減衰力を作用させて良い。
【００１３】
前記減衰手段は、
前記芯パイプを取り囲む筒状のハウジングと、
前記ハウジングと前記芯パイプとの間隙に前記軸線方向に間隔を空けて配置され当該間隙を前記芯パイプの全周にわたって密封する２つのシール部と、
前記ハウジング内の前記２つのシール部によって密封された空間に充填されたグリスと、を有していて良い。
【００１４】
前記ハウジングの内面から前記芯パイプの外面までの距離が、前記２つのシール部で密封された空間において当該軸線方向に沿って変化していて良い。
【００１５】
前記付勢手段と前記減衰手段とは、前記軸筒の軸線方向に直列に配置されていて良い。
【発明の効果】
【００１６】
本発明によれば、書き心地が滑らかであり、且つ、筆記体の折損を効果的に抑制することができる筆記具を提供することができる。
【図面の簡単な説明】
【００１７】
【図１】本発明の一実施の形態による筆記具を示す概略縦断面図である。
【図２】筆記体に後方に向かって大きな押圧力が作用したときの図１の筆記具を示す概略縦断面図である。
【図３】図２から押圧力が除かれた際の図１の筆記具を示す概略縦断面図である。
【図４】図１の変形例による筆記具を示す概略縦断面図である。
【図５】図１の更なる変形例による筆記具を示す概略縦断面図である。
【発明を実施するための形態】
【００１８】
以下に、添付の図面を参照して本発明の一実施の形態を詳細に説明する。
【００１９】
図１は、本発明の一実施の形態による筆記具としてのシャープペンシル１００を示す概略縦断面図である。図１に示すように、シャープペンシル１００は、軸筒１０と、軸筒１０に支持された筆記体と、軸筒１０の前端に当該軸筒１０の軸線方向ｄａに相対移動可能に支持され、筆記体の前端領域を取り囲むガイドパイプ３２と、を備えている。本実施の形態の筆記体は、筆記芯２１と、この筆記芯２１を保持すると共に当該筆記芯２１を前方に繰り出す芯繰出ユニット２０と、を有している。また、軸筒１０は、軸筒本体１６と、軸筒本体１６に取り付けられた口金３０と、を有している。ガイドパイプ３２は、この口金３０の前端に軸線方向ｄａに相対移動可能に支持されている。
【００２０】
更に、シャープペンシル１００は、軸筒１０と芯繰出ユニット２０との間に配置され、当該芯繰出ユニット２０を軸筒１０に対して前方（図１における左方）に付勢する付勢手段を有している。図１に示すように、本実施の形態の付勢手段は、軸筒１０内において芯繰出ユニット２０を取り囲むように圧縮状態で配置されたコイルバネ４０である。コイルバネ４０の後方（図１における右方）には、軸筒１０に対する芯繰出ユニット２０の相対速度に応じた減衰力を当該芯繰出ユニット２０に作用させる減衰手段５０が設けられている。減衰手段５０は、軸筒１０に対して固定されている。
【００２１】
芯繰出ユニット２０は、軸筒１０の内部に位置付けられた芯パイプ２３と、芯パイプ２３の前端部に固定されたチャック２４と、チャック２４に外嵌された黄銅製の締めリング２５と、を有するチャックユニット２８を備えている。芯パイプ２３は、例えばポリプロピレン製であり、チャック２４は、例えば黄銅製である。芯繰出ユニット２０は、更に、芯パイプ２３の前方に配置され、筆記芯２１を繰り出す際の抵抗感を付与するリターンスプリング２６と、このリターンスプリング２６及びチャックユニット２８の周囲を取り囲むポリカーボネート製の外筒２７と、を有している。
【００２２】
図１に示すように、外筒２７は、前方の内周面に突出部２７ｐを有している。チャック２４は、この突出部２７ｐにより画定された開口を軸線方向ｄａに貫通して配置され、外筒２７に対して軸線方向ｄａに相対移動可能となっている。また、リターンスプリング２６は、外筒２７の突出部２７ｐと芯パイプ２３の前端との間に圧縮状態で配置されている。このような構成により、リターンスプリング２６は、外筒２７に対して芯パイプ２３及びチャック２４を後方に付勢している。この付勢力に起因して、チャック２４は、前端領域が締めリング２５によって締められて、筆記芯２１を後退しないように挟持するのである。
【００２３】
芯繰出ユニット２０は、頭冠１１に軸線方向ｄａに相対移動可能に取り付けられたノック部１２をノック操作することによって、筆記芯２１が繰り出される。具体的な繰り出しの態様については、後述される。本実施の形態のノック部１２は、ポリプロピレン製であり、ノック操作時に芯パイプ２３の後端を押圧する押圧部１２ａを有している。更に、ノック部１２は、後方に円柱状の消しゴム８０を取外可能に保持するホルダ部１２ｈを有している。押圧部１２ａは、芯パイプ２３内に筆記芯２１を投入するための開口を画定している。これにより、消しゴム８０をホルダ部１２ｈから取り外すことによって、当該開口から筆記芯２１を芯パイプ２３内に投入できるようになっている。また、ホルダ部１２ｈには、消しゴム８０の後方を覆うドーム状のノブ８１が取外可能に外嵌されている。
【００２４】
また、図１に示すように、芯繰出ユニット２０は、外筒２７に固定された筆記体側筒状部材２２を有している。この筆記体側筒状部材２２は、コイルバネ４０の弾発力を受ける機能と、軸筒１０に対する芯繰出ユニット２０の後方への相対移動を規制する機能とを担っている。具体的には、筆記体側筒状部材２２は、芯パイプ２３を取り囲む当接部２２ｃと、当接部２２ｃから軸筒１０の径方向外方に広がるフランジ状の筆記体側係止部２２ｆと、を有している。
【００２５】
次に、減衰手段５０は、芯繰出ユニット２０の芯パイプ２３を取り囲む筒状のハウジング５１と、ハウジング５１と芯パイプ２３との間隙に配置された２つのシール部５２ａ、５２ｂと、を有している。本実施の形態のシール部５２ａ、５２ｂは、Ｏリングであり、軸線方向ｄａに間隔を空けて配置され、ハウジング５１と芯パイプ２３との間隙を芯パイプ２３の全周にわたって密封している。図１に示すように、ハウジング５１の内面５１ｓには螺旋状の溝が形成されており、当該内面５１ｓから芯パイプ２３の外面までの距離が、２つのシール部５２ａ、５２ｂで密封された空間において軸線方向ｄａに沿って変化している。そして、この密封された空間に、グリス５３が充填されている。
【００２６】
このような減衰手段５０は、軸筒本体１６の後方に連結された頭冠１１に固定されている。頭冠１１は、軸筒本体１６に形成された開口部１０ａに対応する位置の外面に突出部１１ｐが形成されている。この突出部１１ｐが軸筒本体１６の開口部１０ａと嵌合することによって、頭冠１１が軸筒本体１６に連結されている。頭冠１１の前端には、前方に向かって立ち上がるスリーブ部１１ｓが形成されている。減衰手段５０のハウジング５１は、後方領域がスリーブ部１１ｓの内部に収容された状態で、当該スリーブ部１１ｓに固定されている。すなわち、減衰手段５０は、頭冠１１を介して軸筒１０に固定されている。
【００２７】
減衰手段５０は、ハウジング５１の前端に固定された軸筒側筒状部材５４を更に有している。軸筒側筒状部材５４は、芯繰出ユニット２０の筆記体側筒状部材２２よりも後方に位置している。軸筒側筒状部材５４は、芯繰出ユニット２０を取り囲む被当接部５４ｃと、被当接部５４ｃから軸筒１０の径方向外方に広がるフランジ状の軸筒側係止部５４ｆと、を有している。図１に示す例では、軸筒側係止部５４ｆが被当接部５４ｃの後端に形成されているが、このような例には限定されない。すなわち、他の例では、軸筒側係止部５４ｆが被当接部５４ｃの前端や、後端と前端との間の中間領域に形成されていても良い。
【００２８】
軸筒１０は、筆記体側筒状部材２２の筆記体側係止部２２ｆよりも前方の内面に、当該軸筒１０の内径を減少させる絞り部１４を有している。絞り部１４は、内径が筆記体側係止部２２ｆの外径よりも小さく構成されている。これにより、筆記体側係止部２２ｆが絞り部１４を越えて前方に移動することが禁止されている。そして、筆記体側係止部２２ｆと減衰手段５０の軸筒側係止部５４ｆとの間に、コイルバネ４０が伸縮可能に圧縮状態で配置されている。前述したように、減衰手段５０は軸筒１０に固定されており、筆記体側筒状部材２２は芯繰出ユニット２０に固定されている。このため、コイルバネ４０の弾発力によって、筆記体側係止部２２ｆが絞り部１４に押し当てられることにより、芯繰出ユニット２０が軸筒１０に対して位置決めされている。このとき、当接部２２ｃの後端と被当接部５４ｃとの間に、０．５ｍｍの間隙ｇが形成されている。
【００２９】
軸筒本体１６の前端には、雌ネジ部１５が形成されている。この雌ネジ部１５に、芯繰出ユニット２０の前端領域を覆う口金３０が螺着されている。口金３０の前端には、ガイドパイプ３２が軸線方向ｄａに相対移動可能であるように支持されている。ガイドパイプ３２は、ガイドパイプ本体３２ａと、ガイドパイプ本体３２ａをその後端領域において支持し口金３０に対して摺動可能な摺動支持部３２ｓと、を有している。また、口金３０は、摺動支持部３２ｓを収容する収容空間３３を画定している。この収容空間３３は、軸線方向ｄａに所定の長さＭを有しており、この長さＭの範囲内において摺動支持部３２ｓが収容空間３３内を軸線方向ｄａに摺動するようになっている。
【００３０】
本実施の形態において、収容空間３３の長さＭは、摺動支持部３２ｓが収容空間３３の後端部に位置した際に、ガイドパイプ本体３２ａの前端が口金３０の内部に完全に没入する寸法に、規定されている。更に、収容空間３３は、芯繰出ユニット２０のチャック２４の進入を許容するが、締めリング２５の進入は許容しない寸法で形成されている。したがって、芯繰出ユニット２０がノック操作される際に、締めリング２５が収容空間３３の後端の位置において口金３０に当接し、チャック２４のみが収容空間３３の後端を越えて前進することができる。これにより、ノック操作によって適切に筆記芯２１が芯繰出ユニット２０から繰り出されることになる。
【００３１】
ここで、ガイドパイプ３２の摺動支持部３２ｓと収容空間３３を画定する口金３０との接触部分Ａに作用する最大静止摩擦力をｆＡとし、ガイドパイプ本体３２ａと筆記芯２１との接触部分Ｂに作用する最大静止摩擦力をｆＢとする。このとき、これらの最大静止摩擦力ｆＡ、ｆＢの間には、ｆＡ＞ｆＢという関係が成立している。このため、後述されるように、ガイドパイプ本体３２ａ内を筆記芯２１が軸線方向ｄａに通過する際に、摺動支持部３２ｓが口金３０に対して静止した状態を維持するようになっている。
【００３２】
次に、以上のようなシャープペンシル１００の作用について、図１に加えて図２及び図３を参照して説明する。図２は、筆記芯２１に後方に向かって大きな押圧力が作用したときの図１のシャープペンシル１００を示す概略縦断面図であり、図３は、図２において押圧力が除かれた際の図１のシャープペンシル１００を示す概略縦断面図である。なお、初期状態において、ガイドパイプ３２の摺動支持部３２ｓが口金３０の収容空間３３の後端に位置しており、ガイドパイプ本体３２ａが口金３０内に没入されているものとする。
【００３３】
まず、紙面に対して筆記を行うに先立ち、必要に応じて、ノブ８１と消しゴム８０とがホルダ部１２ｈから取り外され、押圧部１２ａの開口を介して筆記芯２１が芯パイプ２３内に投入される。そして、消しゴム８０とノブ８１とがホルダ部１２ｈに取り付けられ、口金３０が頭冠１１より下方に位置する姿勢でノック部１２（ノブ８１）が軸筒１０に対して前方に押し込まれる（ノックされる）。これにより、チャックユニット２８がリターンスプリング２６の付勢力に逆らって前進させられる。この前進の過程で、締めリング２５が収容空間３３の後端の位置において口金３０に当接する。チャックユニット２８が更に前方に押し込まれると、チャック２４のみが前方に移動し、締めリング２５がチャック２４から外れて当該チャック２４が開放される。この結果、チャック２４から筆記芯２１が所定の長さだけ前方に繰り出される。
【００３４】
この押圧操作によってチャック２４が収容空間３３の内部を前進するとき、ガイドパイプ３２の摺動支持部３２ｓがチャック２４によって前方に押圧され、収容空間３３の前端まで移動させられる。これにより、ガイドパイプ本体３２ａが口金３０の前端から露出される。そして、摺動支持部３２ｓと収容空間３３を画定する口金３０との接触部分Ａに作用する摩擦力により、ガイドパイプ本体３２ａが口金３０の前端から露出され状態が、維持される。
【００３５】
そして、ノック部１２（ノブ８１）の前方への押圧状態が解除されると、リターンスプリング２６の付勢力によって芯パイプ２３及びチャック２４が後退させられる。これに伴って、締めリング２５が再びチャック２４に外嵌され、チャック２４が締められる。これにより、筆記芯２１が挟持され、筆記芯２１が繰り出された状態が維持される。以上の一連の押圧操作は、ガイドパイプ本体３２ａの前端から筆記芯２１が僅かに露出するまで繰り返される（図１参照）。そして、使用者によって軸筒１０または口金３０が把持され、紙面に対して筆記芯２１を当接させつつ軸筒１０が所望に移動されて筆記が行われる。なお、ここでは、筆記芯２１の折損が効果的に抑制されるよう、ガイドパイプ本体３２ａの前端から露出されている筆記芯２１の長さは、０．５ｍｍ以下であるものとする。
【００３６】
筆記に伴い、筆記芯２１が摩耗し、ガイドパイプ３２の前端から露出する筆記芯２１の長さが次第に減少する。そして、筆記芯２１が更に摩耗すると、ガイドパイプ３２の前端が紙面に当接する。この状態で筆記を継続しても、ガイドパイプ３２が筆記芯２１の摩耗に同調して口金３０内に潜り込むため、筆記を継続することができる。しかしながら、この状態では紙面とガイドパイプ３２の前端との間で摩擦が生じるため、やや引っ掛かり（抵抗感）のある書き心地となる。一方、ノック操作によって筆記芯２１を繰り出した場合、ガイドパイプ３２から露出する筆記芯２１の長さが大きく増大し、筆記芯２１が筆圧により折損しやすくなる。これらの問題を回避すべく、本実施の形態によるシャープペンシル１００では、次のようにして筆記芯２１をガイドパイプ３２から僅かに露出させ、滑らかな書き心地が実現されると共に、筆記芯２１の折損が効果的に回避される。
【００３７】
まず、図２に示すように、筆記芯２１の前端を紙面に当接させ、この状態で軸筒１０及び口金３０を紙面に向けて押圧する。この押圧力の反力が、筆記芯２１から外筒２７及び筆記体側筒状部材２２を介して、コイルバネ４０に伝達される。この伝達される力がコイルバネ４０の初動荷重を上回ると、コイルバネ４０が圧縮され、芯繰出ユニット２０が軸筒１０に対して後方に相対移動する。この相対移動の過程において、芯繰出ユニット２０は、減衰手段５０によって、相対移動速度に応じた減衰力を受ける。この減衰力によって、シャープペンシル１００の使用者に適度な抵抗感が提供される。
【００３８】
前述したように、ガイドパイプ３２の摺動支持部３２ｓと収容空間３３を画定する口金３０との接触部分Ａに作用する最大静止摩擦力ｆＡは、ガイドパイプ本体３２ａと筆記芯２１との接触部分Ｂに作用する最大静止摩擦力ｆＢよりも大きい。このため、芯繰出ユニット２０が軸筒１０に対して後方に相対移動する過程において、筆記芯２１の前端がガイドパイプ本体３２ａの前端に到達するまでは、摺動支持部３２ｓは、収容空間３３内を移動しない。
【００３９】
一方、筆記芯２１の前端がガイドパイプ本体３２ａの前端に到達すると、ガイドパイプ本体３２ａの前端が紙面に当接するため、筆記芯２１とガイドパイプ本体３２ａとの双方が紙面から押圧力を受ける。これにより、芯繰出ユニット２０が軸筒１０に対して更に後方に相対移動されると同時に、ガイドパイプ３２が口金３０に対して後方に相対移動される。すなわち、摺動支持部３２ｓが収容空間３３内を後方に移動し、ガイドパイプ本体３２ａのうち口金３０の前端から露出している部分の長さが減少される（図２参照）。芯繰出ユニット２０及びガイドパイプ３２の後方への相対移動は、筆記体側筒状部材２２の当接部２２ｃの後端が軸筒側筒状部材５４の被当接部５４ｃに当接することによって終了する。ここまでの芯繰出ユニット２０の相対移動量は、当接部２２ｃの後端と被当接部５４ｃの前端との間の間隙ｇの長さに一致するため、本実施の形態では０．５ｍｍである。
【００４０】
そして、押圧力が解除されると、あるいは押圧力がコイルバネ４０の初動荷重を下回るまで弱められると、コイルバネ４０は、伸長して筆記体側筒状部材２２を軸筒１０に対して前方に相対移動させる。この相対移動は、筆記体側係止部２２ｆが絞り部１４に当接することにより終了する。これにより、軸筒１０と芯繰出ユニット２０との相対位置関係が初期状態に復帰される。このとき、減衰手段５０により、芯繰出ユニット２０には、軸筒１０に対する相対速度に応じた減衰力が作用する。このため、筆記芯２１から押圧力が瞬間的に除去されたとしても、芯繰出ユニット２０はゆっくりと軸筒１０に対して前進する。すなわち、軸筒１０に対する芯繰出ユニット２０の滑らかな動作が実現される。
【００４１】
また、前述した最大静止摩擦力ｆＡと最大静止摩擦力ｆＢとの関係から理解されるように、筆記芯２１がガイドパイプ本体３２ａ内を前方に相対移動する際に、ガイドパイプ３２は筆記芯２１につられて口金３０に対して前方に相対移動してしまうことが無い。すなわち、図２に示すように、芯繰出ユニット２０が軸筒１０に対して前方に相対移動される間、ガイドパイプ３２は口金３０に対する相対位置を維持する（図３参照）。以上のような軸筒１０に対する芯繰出ユニット２０の相対的な往復移動によって、ガイドパイプ本体３２ａの前端から露出する筆記芯２１の長さが、口金３０に対しガイドパイプ３２が後退した分だけ、増大する。
【００４２】
あるいは、以上のような軸筒１０に対する芯繰出ユニット２０の相対的な往復移動は、筆記芯２１の折損を低減させる機能をも提供する。すなわち、筆記時に筆記芯２１に過大な筆圧が作用すると、軸筒１０の軸線方向ｄａに沿った筆圧の成分（分力）がコイルバネ４０を圧縮させる。これにより、筆記芯２１がガイドパイプ本体３２ａ内に潜り込むため、筆記芯２１の折損が効果的に回避される。そして、筆圧が弱められると、コイルバネ４０の弾発力によって軸筒１０と芯繰出ユニット２０との相対位置関係が初期状態に復帰される。
【００４３】
そして、シャープペンシル１００による筆記を終えた後、次のようにして、筆記芯２１の前端領域及びガイドパイプ本体３２ａが口金３０の内部に収納される。まず、軸筒１０が把持された状態で、ノック部１２（ノブ８１）が軸筒１０に対して前方に押し込まれる。この状態でガイドパイプ３２から前方に露出した筆記芯２１が紙面などに押し当てられる。このとき、チャック２４が開放された状態であるため、ガイドパイプ本体３２ａから前方に露出した筆記芯２１の前端部分がガイドパイプ本体３２ａ内に押し戻される。一方、ガイドパイプ３２は、収容空間３３内で摺動支持部３２ｓがチャック２４によって前方に押圧された状態にあるため、ガイドパイプ本体３２ａが口金３０の前端から突出した状態が維持される。
【００４４】
そして、この状態で、把持していた軸筒１０を解放すると、リターンスプリング２６の弾発力によって、軸筒１０及び口金３０が紙面に向かって移動される。この移動によって、筆記芯２１が軸筒１０に対して後方に押し戻され、且つ、ガイドパイプ３２が軸筒１０及び口金３０の内部にそれぞれ収納される。これらの結果、口金３０の前端から筆記芯２１及びガイドパイプ３２が突出しない状態が実現されるため、安全である。
【００４５】
以上のような本実施の形態によれば、ノック部１２の押し込み操作によらずに、ガイドパイプ３２の前端から露出する筆記芯２１の長さを僅かに増大させることができる。このため、筆記時にガイドパイプ３２が紙面に当接しにくいため、引っ掛かりを抑え書き心地が滑らかなシャープペンシル１００を提供することができる。更に、筆記芯２１に作用する筆圧が増大すると、筆記芯２１がガイドパイプ３２内に引き込まれるため、筆記芯２１に過大な筆圧が作用することが抑制される。これにより、筆記芯２１の折損を効果的に抑制することができるシャープペンシル１００を提供することができる。
【００４６】
更に、軸筒１０が、芯繰出ユニット２０の後方への相対移動を規制する被当接部５４ｃを有しているため、芯繰出ユニット２０の後退量を適正な範囲に確実に規制することができる。
【００４７】
更には、ガイドパイプ３２の前端から筆記芯２１が僅かに露出した状態を維持することが容易であるため、筆記芯２１の視認性が良好である。このため、シャープペンシル１００の使用者が意図せずガイドパイプ３２の前端から筆記芯２１を過度に繰り出して筆記を行うことが効果的に抑制されるため、筆記芯２１の折損が効果的に抑制され得る。
【００４８】
また、芯繰出ユニット２０が軸線方向ｄａに沿って軸筒１０に対して相対移動可能な長さは、ガイドパイプ３２が軸線方向ｄａに沿って軸筒１０に対して相対移動可能な長さよりも短い。このため、ガイドパイプ本体３２ａの前端から露出する筆記芯２１の長さを、口金３０に対しガイドパイプ３２が後退した分だけ、確実に増大させることができる。
【００４９】
また、軸筒１０と芯繰出ユニット２０との間に、軸筒１０に対する芯繰出ユニット２０の相対速度に応じた減衰力を芯パイプ２３に作用させる減衰手段５０が配置されている。このため、軸筒１０に対する筆記芯２１の相対移動を滑らかにすることができる。更に、筆記芯２１を繰り出す際のノック操作の操作感も向上され得る。
【００５０】
減衰手段５０は、芯パイプ２３を取り囲む筒状のハウジング５１と、ハウジング５１と芯パイプ２３との間隙に軸線方向ｄａに間隔を空けて配置され当該間隙を芯パイプ２３の全周にわたって密封する２つのシール部５４ａ、５４ｂと、を有している。そして、ハウジング５１内の２つのシール部５４ａ、５４ｂによって密封された空間にグリス５３が充填されている。このため、減衰手段５０の効果を長期間にわたって持続させることができ、周囲の部材をグリス５３で汚染することもない。
【００５１】
更に、ハウジング５１の内面５１ｓに螺旋状の溝が形成されているため、グリス５３を好適に保持でき、芯パイプ２３に対して安定して減衰力を提供することができる。
【００５２】
また、コイルバネ４０と減衰手段５０とは、軸筒１０の軸線方向ｄａに直列に配置されているため、軸筒１０の直径を増大させることなくコイルバネ４０と減衰手段５０とを軸筒１０内に配置することができる。
【００５３】
次に、図４は、図１の変形例によるシャープペンシル２００を示す概略縦断面図である。
【００５４】
図４に示すように、本変形例によるシャープペンシル２００は、図１に示すシャープペンシル１００において、軸筒本体１６と口金３０とが一体的に構成されている点で異なる。ここでは、図１の軸筒１０及び口金３０を含む構成要素を新たに軸筒と呼び、図４において符号２１０を付してある。したがって、本変形例では、ガイドパイプ３２が軸筒２１０の前端に軸線方向ｄａに相対移動可能に支持されている。軸筒２１０には、前方にガイドパイプ３２の摺動支持部３２ｓを収容する収容空間２３３が画定されている。この収容空間２３３は、図１に示すシャープペンシル１００と同様に、軸線方向ｄａに所定の長さＭを有している。そして、この長さＭの範囲内において摺動支持部３２ｓが収容空間２３３内を軸線方向ｄａに摺動するようになっている。
【００５５】
また、ガイドパイプ３２の摺動支持部２３２ｓと収容空間２３３を画定する軸筒２１０との接触部分Ｃに作用する最大静止摩擦力をｆＣとし、ガイドパイプ本体２３２ａと筆記芯２１との接触部分Ｂに作用する最大静止摩擦力をｆＢとする。このとき、本変形例では、ｆＣ＞ｆＢという関係が成立している。このため、筆記芯２１がガイドパイプ本体２３２ａ内を軸線方向ｄａに通過する際に、摺動支持部２３２ｓが軸筒２１０に対して静止した状態を維持するようになっている。その他の構成は、図１に示すシャープペンシル１００と略同様である。このため、図４において、図１のシャープペンシル１００と共通する構成要素には同じ符号を付し、その詳細な説明は省略する。
【００５６】
以上のようなシャープペンシル２００は、図１に示すシャープペンシル１００と同様の作用を提供する。すなわち、シャープペンシル２００の作用は、図１〜図３を参照しつつ説明したシャープペンシル１００の作用において、口金３０を軸筒２１０と読み替えることによって理解され得る。このため、シャープペンシル２００によっても、図１に示すシャープペンシル１００と同様の効果が達成され得る。
【００５７】
次に、図５は、図１の更なる変形例によるシャープペンシル３００を示す概略縦断面図である。
【００５８】
図５に示すシャープペンシル３００は、減衰手段５０を有していない点で、図１に示すシャープペンシル１００とは異なっている。シャープペンシル３００は、頭冠１１の内面に突出して形成された規制部１１ｒを有している。この規制部１１ｒは、図１に示すシャープペンシル１００の軸筒側筒状部材５４に相当する構成要素である。すなわち、規制部１１ｒと筆記体側係止部２２ｆの間にコイルバネ４０が圧縮状態で架け渡されている。更に、筆記体側筒状部材２２の当接部２２ｃは、規制部１１ｒの近傍まで延在しており、当接部２２ｃと規制部１１ｒとの間の間隙ｇは、０．５ｍｍである。その他の構成は、図１に示すシャープペンシル１００と略同様である。このため、図５において、図１のシャープペンシル１００と共通する構成要素には同じ符号を付し、その詳細な説明は省略する。
【００５９】
以上のようなシャープペンシル３００では、芯繰出ユニット２０が、軸筒１０に対する芯繰出ユニット２０の相対移動速度に応じた減衰力を受けることは無い。したがって、ノック操作時や、コイルバネ４０の圧縮及び伸長によって芯繰出ユニット２０が軸筒１０に対して相対移動する際に、迅速な動作が提供される。その一方、シャープペンシル３００は、上述したシャープペンシル１００と同様に、筆記時にガイドパイプ３２が紙面に当接することを回避でき、引っ掛かりを抑え滑らかな書き心地を提供することができる。このように、減衰手段５０を有しない場合であっても、筆記芯２１の折損を効果的に抑制することができるシャープペンシルが提供され得る。すなわち、シャープペンシル３００によれば、減衰手段５０によってもたらされる作用及び効果を除き、図１に示すシャープペンシル１００と同様の作用及び効果が提供され得る。もちろん、減衰手段５０を除去した構成は、図４に示すシャープペンシル２００においても採用が可能である。
【００６０】
以上の説明においては、筆記体として、シャープペンシル用の筆記芯２１を含む芯繰出ユニット２０を採用した例について説明を行った。しかしながら、このような形態には限定されない。他の例では、筆記体として、熱変色性組成物を含有する筆記芯を含む芯繰出ユニットを採用することができる。熱変色性組成物の例としては、常温域において第１の色彩を呈するが、高温（例えば６０℃以上）になると第１の色彩とは異なる第２の色彩に変色する組成物が挙げられる。ここで、第１及び第２の色彩の一方は、無色であり得る。熱変色性組成物については、例えば特開２０１２−１９３３６９号公報（上述した特許文献１）に詳細に開示されているため、ここでは具体的な例示は省略する。
【００６１】
一般に、熱変色性組成物を含有する筆記芯は、シャープペンシル用の筆記芯（鉛芯）と比較して強度が低いため、シャープペンシル用の筆記芯と同じ程度の寸法に成形した場合、折損しやすく筆記感が損なわれることが懸念される。しかしながら、上述したシャープペンシル１００、２００において、筆記芯２１を、熱変色性組成物を含有する筆記芯に置換して新たな筆記具を構成すれば、当該筆記芯の折損を効果的に回避することができる。もちろん、その他の組成を有する各種の筆記体を採用しても、当該筆記芯の折損が効果的に回避され得る。更に、筆記体が必ずしも芯繰出ユニットである必要は無く、筆記芯それ自体が筆記体を構成していても良い。
【００６２】
更に、上述した例では、減衰手段５０がグリス５３を含んでいたが、グリス５３に代えて粘弾性を有するゲルやゴムなどの流動体を採用しても良い。この場合も、減衰手段５０により、芯繰出ユニット２０には、軸筒１０に対する相対速度に応じた減衰力が作用する。すなわち、軸筒１０に対する芯繰出ユニット２０の滑らかな相対移動が実現され得る。
【符号の説明】
【００６３】
１０  軸筒
１０ａ  開口部
１１  頭冠
１１ｃ  内鍔
１１ｐ  突出部
１１ｒ  規制部
１１ｓ  スリーブ部
１２  ノック部
１２ａ  押圧部
１２ｆ  フランジ部
１２ｈ  ホルダ部
１４  絞り部
１５  雌ネジ部
２０  芯繰出ユニット
２１  筆記芯
２１ａ  前端領域
２２  筆記体側筒状部材
２２ｃ  当接部
２２ｆ  筆記体側係止部
２３  芯パイプ
２４  チャック
２５  締めリング
２６  リターンスプリング
２７  外筒
２７ｐ  突出部
３０  口金
３２  ガイドパイプ
３２ａ  ガイドパイプ本体
３２ｓ  摺動支持部
３３  収容空間
４０  コイルバネ
４５  外筒
５０  減衰手段
５１  ハウジング
５１ｓ  内面
５２ａ  シール部
５２ｂ  シール部
５３  グリス
５４  軸筒側筒状部材
５４ｃ  被当接部
５４ｆ  軸筒側係止部
８０  消しゴム
８１  ノブ
１００  シャープペンシル
２００  シャープペンシル
２１０  軸筒
２３３  収容空間
３００  シャープペンシル
【図１】
2019119097.tif 000003
【図２】
2019119097.tif 000004
【図３】
2019119097.tif 000005
【図４】
2019119097.tif 000006
【図５】
2019119097.tif 000007